(57)【要約】【課題】持ち運び可能な岩盤浴装置を提供する。【解決手段】岩盤浴装置１０は、板状のゼオライト１１と、発熱体を含んだゴム状のゴムマットヒーター１２と、断熱材１３とをこの順に備えたものである。板状のゼオライト１１は、ゴムマットヒーター１２の上に隙間なく敷き詰められている。これにより、容易に持ち運ぶことができる。板状のゼオライト１１の側を人体の側として使用する。板状のゼオライト１１は、加温されると、遠赤外線やラジウムを放射するものである。【選択図】図１
0003178838.tif 000002
【実用新案登録請求の範囲】
【請求項１】
板状のゼオライトと、発熱体を含んだゴム状のゴムマットヒーターと、断熱材とをこの順に備えたことを特徴とする岩盤浴装置。
【請求項２】
前記板状のゼオライトは、前記ゴムマットヒーターの上に複数敷き詰められることを特徴とする請求項１記載の岩盤浴装置。
【考案の詳細な説明】
【技術分野】
【０００１】
本考案は、持ち運び可能な岩盤浴装置に関する。
【背景技術】
【０００２】
岩盤浴は、温めた岩石等の上に横になって体を温める入浴法であり、発汗作用があって、疲労回復などに効果があるとされている。このような岩盤浴を行うには、ある程度の設備が必要とされており、例えば、温浴施設等に併設されていることが多い。
【０００３】
このため、岩盤浴をしたい人達は、その都度、温浴施設等に足を運ぶ必要があり、特にお年寄りや腰痛の人などが、毎日のように岩盤浴をするのは難しかった。よって、自宅や外出先等でも、手軽に岩盤浴を行えるような岩盤浴装置の開発が求められていた。なお、天然硬質ゼオライトを用いた温熱治療具が知られている（特許文献１参照）。
【先行技術文献】
【特許文献】
【０００４】
【特許文献１】特開２０１１−５２０１号公報
【考案の概要】
【考案が解決しようとする課題】
【０００５】
本考案は、このような問題に基づきなされたものであり、持ち運び可能な岩盤浴装置を提供することを目的とする。
【課題を解決するための手段】
【０００６】
本考案の岩盤浴装置は、板状のゼオライトと、発熱体を含んだゴム状のゴムマットヒーターと、断熱材とをこの順に備えたものである。
【考案の効果】
【０００７】
本考案の岩盤浴装置は、板状のゼオライトを用いるようにしたので、ゴムマットヒーターにより加温されると、遠赤外線やラジウムを放射し、例えば、人体の深部まで温めることができる。また、発熱体を含んだゴム状のゴムマットヒーターを用いるようにしたので、例えば、丸めたりして簡単に持ち運びすることができる。更に、断熱材を用いるようにしたので、ゴムマットヒーターからの熱を効果的に板状のゼオライト側に伝えることができる。
【０００８】
特に、複数の板状のゼオライトを用いて、ゴムマットヒーターの上に敷き詰められるようにすれば、例えば、板状のゼオライトも簡単に持ち運ぶことができ、本考案の岩盤浴装置自体を簡単に持ち運ぶことができる。
【図面の簡単な説明】
【０００９】
【図１】本考案の一実施の形態に係る岩盤浴装置の構成を表す図である。
【考案を実施するための形態】
【００１０】
以下、本考案の実施の形態について、図面を参照して詳細に説明する。
【００１１】
図１は、本考案の一実施の形態に係る岩盤浴装置１０の構成を表すものである。この岩盤浴装置１０は、板状のゼオライト１１と、発熱体を含んだゴム状のゴムマットヒーター１２と、断熱材１３とをこの順に備えたものである。
【００１２】
板状のゼオライト１１は、加温されると、遠赤外線やラジウムを放射し、例えば、人体の深部まで温めることができるものである。また、内部には結晶水が含まれており、繰り返し使用できるものである。このような板状のゼオライト１１としては、例えば、秋田県能代市二ツ井町より産出されるものは品質がよいので好ましく、このうち、高純度の硬質ゼオライトを切り出して使用するのが好ましい。
【００１３】
板状のゼオライト１１は、例えば、岩盤浴装置１０の大きさが大きくなる場合には、複数のものを用いて、ゴムマットヒーター１２の上に敷き詰めるようにして使用することが好ましい。持ち運び易く、また、一枚のものを使用するより、壊れ難いからである。
【００１４】
このような板状のゼオライト１１の形状は、例えば、表面および裏面が平らなものが好ましい。人が横になったり、あるいは、人体を当てる部分だからである。また、表面および裏面の形状は、正方形や長方形などの角型が好ましい。これらの形状であれば、ゴムマットヒーター１２の上に容易に隙間なく敷き詰められるからであり、また、粒状や天然の石の形状のまま使用すると、隙間なく敷き詰めることが難しく、しかも、ずれ落ちたりしないように、例えば、枠を作って、その内部に収めるようにしなければならないからである。
【００１５】
板状のゼオライト１１の大きさは、使用態様に合わせて変更するようにすればよいが、一辺の長さを１０ｃｍ以上５０ｃｍ以下とすることが好ましい。持ち運びが容易であり、また、壊れ難いからである。また、板状のゼオライト１１の厚みは、特に限定されないが、１ｃｍ以上３ｃｍ以下が好ましい。見た目もよく、また、壊れ難いからである。
【００１６】
ゴムマットヒーター１２は、例えば、シート状であり、例えば、図示しない電源コードが取り付けられ、温度制御手段や、タイマーなどの機能が取り付けられていてもよい。ゴム状としたのは、丸めたりして持ち運び易いからであり、また、設置場所がある程度平らでないところでも対応できるからである。ゴムマットヒーター１２は、１つのものを使用してもよいし、複数のものを併用して使用してもよい。
【００１７】
断熱材１３は、ゴムマットヒーター１２からの熱を断熱材１３の側から放出するのを防止して、効果的に板状のゼオライト１１の側に伝えるものである。このような断熱材１２は、例えば、シート状であり、材質等は特に限定はされない。
【００１８】
この岩盤浴装置１０は、例えば、板状のゼオライト１１の側を人体の側として、ベッドの上や、座敷などに設置し、その上に人体を横にして使用することができる。この場合には、岩盤浴装置１０の大きさは、人体の大きさ程度であればよいので、例えば、全長を１６０ｃｍ程度とすれば、例えば、４０ｃｍ四方の板状のゼオライト１１を８枚使用して、２列に敷き詰めて使用することができる。また、ソファーの背もたれ部分に立て掛けて設置し、人体の腰部に当てて使用する場合には、例えば、２０ｃｍ四方の板状のゼオライト１１を４枚使用して、２列に敷き詰めて使用したり、あるいは４０ｃｍ四方の板状のゼオライト１枚を使用するようにしてもよい。更に、椅子の座面に設置して、その上に座るようにして使用してもよい。
【００１９】
このように本実施の形態の岩盤浴装置１０によれば、板状のゼオライト１１を用いるようにしたので、ゴムマットヒーター１２により加温されると、遠赤外線やラジウムを放射し、例えば、人体の深部まで温めることができる。また、発熱体を含んだゴム状のゴムマットヒーター１２を用いるようにしたので、例えば、丸めたりして簡単に持ち運びすることができる。更に、断熱材１３を用いるようにしたので、ゴムマットヒーター１２からの熱を効果的に板状のゼオライト側に伝えることができる。
【００２０】
特に、複数の板状のゼオライト１１を用いて、ゴムマットヒーター１２の上に敷き詰められるようにすれば、例えば、板状のゼオライト１１も簡単に持ち運ぶことができ、岩盤浴装置１０自体を簡単に持ち運ぶことができる。
【００２１】
以上、実施の形態及び変形例を挙げて本考案を説明したが、本考案は上記実施の形態に限定されるものではなく、種々変形可能である。例えば、上記実施の形態では、板状のゼオライト１１の形状について、表面が正方形あるいは長方形などの角型の場合について例を挙げて説明したが、効果的に敷き詰めることができれば、他の形状であってもよい。また、本発明の効果を阻害しないものであれば、板状のゼオライト１１とゴムマットヒーター１２との間、あるいはゴムマットヒーター１２と断熱材１３との間に他の材料等が含まれておいてもよい。更に、岩盤浴装置１０には、タオルなどを当てて使用するようにしてもよい。
【符号の説明】
【００２２】
１０…岩盤浴装置、１１…板状のゼオライト、１２…ゴムマットヒーター、１３…断熱材
【図１】
0003178838.tif 000003